(57)【特許請求の範囲】
【請求項１】
（ａ）下記一般式（６）又は（７）で表される化合物から選ばれる陽イオン界面活性剤を３〜３０質量％、及び（ｂ）下記一般式（２）で表されるトリアルコキシシラン（ｂ１）と下記一般式（３）で表されるジアルコキシシラン（ｂ２）の混合物（（ｂ１）／（ｂ２）質量比＝７／３〜４／６）を０．５〜１５質量％含有する木綿繊維製品用柔軟剤組成物。
【化１】
0004647483.tif 000007
〔Ｒ６ａ及びＲ７ａはそれぞれ独立に、炭素数１２〜２４のアルキル基又はアルケニル基であり、Ｒ６ｂ及びＲ７ｂはそれぞれ独立に、炭素数１〜５のアルキレン基であり、Ｒ６ｃ及びＲ６ｄはそれぞれ独立に、炭素数１〜３のアルキル基、炭素数１〜３のヒドロキシアルキル基、もしくはＲ６ａ−Ａ−Ｒ６ｂ−であり、Ｒ７ｃ及びＲ７ｄはそれぞれ独立に、炭素数１〜３のアルキル基、炭素数１〜３のヒドロキシアルキル基、もしくはＲ７ａ−Ｂ−Ｒ７ｂ−である。Ｒ７ｅは水素原子、炭素数１〜３のアルキル基、又は炭素数１〜３のヒドロキシアルキル基である。Ａ及びＢはそれぞれ独立に、−ＣＯＯ−、−ＣＯＮＨ−から選ばれる基である。Ｘ−は有機又は無機の陰イオンである。〕
Ｒ１Ｓｉ(ＯＲ３)３            （２）
Ｒ１２Ｓｉ(ＯＲ４)２           （３）
〔式中、Ｒ１は、炭素数１〜６の直鎖若しくは分岐鎖のアルキル基又は炭素数２〜６の直鎖若しくは分岐鎖のアルケニル基を示し、Ｒ３及びＲ４は各々独立に炭素数１〜６の直鎖若しくは分岐鎖のアルキル基又は炭素数２〜６の直鎖若しくは分岐鎖のアルケニル基を示す。〕
【請求項２】
（ａ）下記一般式（６）又は（７）で表される化合物から選ばれる陽イオン界面活性剤を３〜３０質量％、及び（ｂ）下記一般式（４）で表される化合物（ｂ３）と下記一般式（５）で表される化合物（ｂ４）の混合物（（ｂ３）／（ｂ４）質量比＝７／３〜４／６）を０．５〜１５質量％含有する木綿繊維製品用柔軟剤組成物。
【化２】
0004647483.tif 000008
〔Ｒ６ａ及びＲ７ａはそれぞれ独立に、炭素数１２〜２４のアルキル基又はアルケニル基であり、Ｒ６ｂ及びＲ７ｂはそれぞれ独立に、炭素数１〜５のアルキレン基であり、Ｒ６ｃ及びＲ６ｄはそれぞれ独立に、炭素数１〜３のアルキル基、炭素数１〜３のヒドロキシアルキル基、もしくはＲ６ａ−Ａ−Ｒ６ｂ−であり、Ｒ７ｃ及びＲ７ｄはそれぞれ独立に、炭素数１〜３のアルキル基、炭素数１〜３のヒドロキシアルキル基、もしくはＲ７ａ−Ｂ−Ｒ７ｂ−である。Ｒ７ｅは水素原子、炭素数１〜３のアルキル基、又は炭素数１〜３のヒドロキシアルキル基である。Ａ及びＢはそれぞれ独立に、−ＣＯＯ−、−ＣＯＮＨ−から選ばれる基である。Ｘ−は有機又は無機の陰イオンである。〕
Ｒ１Ｓｉ(ＯＭ１)３             （４）
Ｒ１２Ｓｉ(ＯＭ２)２            （５）
〔式中、Ｒ１は、炭素数１〜６の直鎖若しくは分岐鎖のアルキル基又は炭素数２〜６の直鎖若しくは分岐鎖のアルケニル基を示し、Ｍ１及びＭ２は各々独立に水素原子又は無機陽イオンから選ばれる基である。〕
【請求項３】
更に、（ｃ）有機酸を０．００１〜５質量％にて含有する請求項１又は２記載の木綿繊維製品用柔軟剤組成物。
【請求項４】
更に、（ｄ）４０℃で液状のパラフィン、炭素数１２〜３０の４０℃で液状のアルコール、及びオルガノシロキサンから選ばれる１種以上の化合物を（ｂ）成分／（ｄ）成分＝９７／３〜３／９７（質量比）にて含有する請求項１〜３何れか１項記載の木綿繊維製品用柔軟剤組成物。
【発明の詳細な説明】
【技術分野】
【０００１】
本発明は柔軟剤組成物に関する。
【背景技術】
【０００２】
陽イオン界面活性剤を含有する繊維製品用柔軟剤組成物は周知の技術である。また、シラノール化合物を繊維製品に応用する技術は特許文献１〜３に開示されている。
【特許文献１】特開２００２−０１８７３号公報
【特許文献２】特開２００１−１８１５７９号公報
【特許文献３】特開２００２−６１０９４号公報
【発明の開示】
【発明が解決しようとする課題】
【０００３】
陽イオン界面活性剤を含有する柔軟剤組成物は優れた柔軟効果を有するが、繊維製品の吸水性を損なうことが知られておりその改善が求められる。また、より柔軟効果を高めることも要望されている。
【０００４】
一方、シラノール化合物を繊維製品に応用する技術のうち、特許文献１には耐水性、撥水性を対象物に付与する技術が開示され、また、特許文献２，３には紙などに撥水性を付与する技術が開示されている。しかしながら、シラノール化合物及び陽イオン界面活性剤を併用することで、繊維製品の柔軟性及び吸水性を改善できることを示唆するものではない。
【０００５】
従って本発明の課題は、繊維製品に優れた柔軟効果を付与し、更に吸水性を改善できる繊維製品用柔軟剤組成物を提供することにある。
【課題を解決するための手段】
【０００６】
本発明は、（ａ）陽イオン界面活性剤、及び（ｂ）下記一般式（１）で表される化合物（以下化合物（１）という）を含有する柔軟剤組成物を提供する。
【０００７】
Ｒ１ｐＳｉ(ＯＲ２)４−ｐ                  （１）
〔式中、Ｒ１は炭素数１〜６の直鎖若しくは分岐鎖のアルキル基又は炭素数２〜６の直鎖若しくは分岐鎖のアルケニル基を示し、Ｒ２は水素原子、無機陽イオン、炭素数１〜６の直鎖若しくは分岐鎖のアルキル基又は炭素数２〜６の直鎖若しくは分岐鎖のアルケニル基から選ばれる基である。ｐは０〜３の整数を示す。〕
【発明の効果】
【０００８】
本発明の柔軟剤組成物は、繊維製品に優れた柔軟効果を付与し、更に吸水性を改善することができる。
【発明を実施するための最良の形態】
【０００９】
［（ａ）成分］
本発明の（ａ）成分である陽イオン界面活性剤としては、下記一般式（６）で表される化合物及び下記一般式（７）で表される化合物から選ばれる１種以上が好適である。
【化１】
0004647483.tif 000002
【００１０】
〔Ｒ６ａ及びＲ７ａはそれぞれ独立に、炭素数１２〜２４、好ましくは１４〜２０、より好ましくは１６〜１８のアルキル基又はアルケニル基であり、Ｒ６ｂ及びＲ７ｂはそれぞれ独立に、炭素数１〜５、好ましくは２又は３のアルキレン基であり、Ｒ６ｃ及びＲ６ｄはそれぞれ独立に、炭素数１〜３のアルキル基、炭素数１〜３のヒドロキシアルキル基、もしくはＲ６ａ−Ａ−Ｒ６ｂ−であり、Ｒ７ｃ及びＲ７ｄはそれぞれ独立に、炭素数１〜３のアルキル基、炭素数１〜３のヒドロキシアルキル基、もしくはＲ７ａ−Ｂ−Ｒ７ｂ−である。Ｒ７ｅは水素原子、炭素数１〜３のアルキル基、又は炭素数１〜３のヒドロキシアルキル基である。Ａ及びＢはそれぞれ独立に、−ＣＯＯ−、−ＣＯＮＨ−から選ばれる基である。Ｘ−は有機又は無機の陰イオンであり、好ましくはクロルイオン、炭素数１〜３のアルキル硫酸エステルイオン、炭素数１〜１８の脂肪酸イオン、炭素数１〜３のアルキル基が１〜３個置換していてもよいベンゼンスルホン酸イオンである。〕
一般式（６）において、Ｒ６ａ（Ｒ６ｃ及び／又はＲ６ｄがＲ６ａ−Ａ−Ｒ６ｂ−である場合のＲ６ａも含む）は炭素数１６及び炭素数１８のアルキル基又はアルケニル基の混合基であることが好適であり、Ｃ１６／Ｃ１８のモル比は好ましくは６０／４０〜１／９９、より好ましくは５５／４５〜３／９７、最も好ましくは５０／５０〜５／９５であることが柔軟効果の点から好適である。また、Ｒ６ａ中にアルケニル基、好ましくはオレイン酸のカルボン酸基を除いた残基、エライジン酸のカルボン酸基を除いた残基、或いはパルミトレイン酸のカルボン酸基を除いた残基が含まれていてもよい、当該アルケニル基を含む場合、Ｒ６ａの全モル数に対して好ましくは１〜１００モル％、より好ましくは５〜９８モル％、最も好ましくは２０〜９５モル％であることが吸水性の点で好ましい。さらに、Ｒ６ａがアルケニル基の場合にはシス／トランス比が好ましくは９９／１〜２５／７５（モル比）、より好ましくは９８／２〜３５／６５（モル比）である。
【００１１】
一般式（７）において、Ｒ７ａ（Ｒ７ｃ及び／又はＲ７ｄがＲ７ａ−Ａ−Ｒ７ｂ−である場合のＲ７ａも含む）は炭素数１６及び炭素数１８のアルキル基又はアルケニル基の混合基であることが好適であり、Ｃ１６／Ｃ１８のモル比は好ましくは６０／４０〜１／９９、より好ましくは５５／４５〜３／９７、最も好ましくは５０／５０〜５／９５であることが柔軟効果の点から好適である。また、Ｒ７ａはアルケニル基、好ましくはオレイン酸のカルボン酸基を除いた残基、エライジン酸のカルボン酸基を除いた残基、或いはパルミトレイン酸のカルボン酸基を除いた残基が含まれていてもよい、当該アルケニル基を含む場合、Ｒ７ａの全モル数に対して好ましくは１〜１００モル％、より好ましくは５〜９８モル％、最も好ましくは２０〜９５モル％であることが吸水性の点で好ましい。さらに、Ｒ７ａがアルケニル基の場合にはシス／トランス比が好ましくは９９／１〜２５／７５（モル比）、より好ましくは９８／２〜３５／６５（モル比）である。なお、シス／トランス比率は１Ｈ−ＮＭＲの積分比で求めることができる。
【００１２】
（ａ）成分において、一般式（６）で表される化合物（（ａ−１）という）、及び一般式（７）で表される化合物（（ａ−２）という）が単独であっても良く、混合されていてもよい。混合される場合の混合比は、（ａ−１）／（ａ−２）＝１／９９〜９９／１（質量比）が好ましく、より好ましくは１／９９〜８０／２０（質量比）である。また、（ａ−１）、（ａ−２）において長鎖アルキル基又はアルケニル基を１つ含有する成分（それぞれ（ａ−１−Ｉ）、（ａ−２−Ｉ）という）、２つ含有する成分（それぞれ（ａ−１−II）、（ａ−２−II）という）それぞれ単独で含有していても良く、又は混合されていても良い。混合比は［（ａ−１−Ｉ）及び／又は（ａ−２−Ｉ）］／［（ａ−１−II）及び／又は（ａ−２−II）］＝１／９９〜８０／２０（質量比）が好ましく、より好ましくは５／９５〜５０／５０（質量比）である。また、長鎖アルキル基又はアルケニル基を３つ含有する成分（それぞれ（ａ−１−III）、（ａ−２−III）という）が、（ａ）成分中に含有されていても良い。含有量は（ａ）成分の全質量中に１〜４０質量％が好ましく、より好ましくは５〜２５質量％である。
【００１３】
［（ｂ）成分］
本発明の（ｂ）成分である化合物（１）は１種又は２種以上を混合して用いることができる。
【００１４】
化合物（１）において、Ｒ１で示されるアルキル基としては、メチル基、エチル基、プロピル基、ブチル基、イソプロピル基、イソブチル基、t-ブチル基等が挙げられ、アルケニル基としては、ビニル基、アリル基等が挙げられる。Ｒ１としては、柔軟性付与の観点より、炭素数１〜４のアルキル基が好ましく、炭素数２〜３のアルキル基がより好ましい。Ｒ２で示される無機陽イオンとしては、ナトリウムイオン、カリウムイオン等のアルカリ金属イオン；カルシウムイオン、マグネシウムイオン等のアルカリ土類金属イオンが挙げられ、アルカリ金属イオンが好ましい。Ｒ２で示されるアルキル基又はアルケニル基としては、上記Ｒ１で示したものが挙げられ、加水分解により生じる副生成物の安全性、加水分解反応の反応性等の点から、炭素数１〜４のアルキル基が好ましく、炭素数１〜２のアルキル基がより好ましい。ｐは１〜２が好ましい。
【００１５】
（ｂ）成分は、繊維に速乾性と吸水性を付与し、使用上の感触をより向上させる観点から、一般式（２）で表されるトリアルコシキシラン（ｂ１）、及び一般式（３）で表されるジアルコシキシラン（ｂ２）をともに含むことが好ましい。また、一般式（４）で表される化合物（ｂ３）、及び一般式（５）で表される化合物（ｂ４）をともに含むことも好ましい。
【００１６】
Ｒ１Ｓｉ(ＯＲ３)３                      （２）
Ｒ１２Ｓｉ(ＯＲ４)２                     （３）
〔式中、Ｒ１は、前記の意味を示し、Ｒ３及びＲ４は各々独立に炭素数１〜６の直鎖若しくは分岐鎖のアルキル基又は炭素数２〜６の直鎖若しくは分岐鎖のアルケニル基を示す。〕
Ｒ１Ｓｉ(ＯＭ１)３                       （４）
Ｒ１２Ｓｉ(ＯＭ２)２                      （５）
〔式中、Ｒ１は、前記の意味を示し、Ｍ１及びＭ２は各々独立に水素原子又は無機陽イオンから選ばれる基である。〕
トリアルコキシシラン（ｂ１）としては、アルキル（炭素数１〜６）トリメトキシシラン、アルキル（炭素数１〜６）トリエトキシシランが好ましく、特にメチルトリメトキシシラン、エチルトリエトキシシランがより好ましい。ジアルコキシシラン（ｂ２）としては、ジアルキル（炭素数１〜６）ジメトキシシラン、ジアルキル（炭素数１〜６）ジエトキシシラン等が好ましく、ジメチルジメトキシシラン、ジエチルジエトキシシラン、がより好ましい。
【００１７】
化合物（ｂ３）としては、アルキル（炭素数１〜６）シラントリオール、又はその塩等が挙げられ、メチルシラントリオール又はエチルシラントリオール、又はそのアルカリ金属塩が好ましい。化合物（ｂ４）としては、ジアルキル（炭素数１〜６）シランジオール、又はその塩等が挙げられ、ジメチルシランジオール又はジエチルシランジオール、又はそのアルカリ金属塩が好ましい。
【００１８】
トリアルコシキシラン（ｂ１）とジアルコシキシラン（ｂ２）、あるいは化合物（ｂ３）と化合物（ｂ４）を併用する場合、これらの質量比、（ｂ１）／（ｂ２）又は（ｂ３）／（ｂ４）は９／１〜３／７が好ましく、８／２〜４／６がより好ましく、７／３〜５／５がさらに好ましい。
【００１９】
［柔軟剤組成物］
本発明の柔軟剤組成物は、（ａ）成分及び（ｂ）成分を含有する。本発明の柔軟剤組成物中の（ａ）成分の含有量は、柔軟性付与の観点から、３〜３０質量％が好ましく、５〜２５質量％が更に好ましい。
【００２０】
本発明の柔軟剤組成物中の（ｂ）成分の含有量は、吸水性向上効果の観点から、０．５〜１５質量％が好ましく、１〜１０質量％がより好ましい。
【００２１】
本発明の柔軟剤組成物に含有される水は、水中に微量に存在するカルシウム、マグネシウムなどの硬度成分や鉄などの重金属を除去した水が好ましく、イオン交換水又は蒸留水を用いることができる。また、水を殺菌又は滅菌する目的から少量の塩素化合物を含有してもよい。
【００２２】
本発明の柔軟剤組成物が水を含有する場合は、水の含有量は、製剤化の観点から、４０〜９５質量％が好ましく、６０〜９０質量％がより好ましい。
【００２３】
また本発明の柔軟剤組成物は、実質的に水を含有しない形態、例えば、タブレットや顆粒であってもよい。このような形態の場合には、例えば、濯ぎ工程時に投入することで、処理対象となる衣料に柔軟性や吸水性を付与することが可能となる。
【００２４】
本発明の柔軟剤組成物には、柔軟性能、吸水性向上性能を更に高める目的で、（ｃ）成分として有機酸を含有することが好ましい。
【００２５】
有機酸としては、シュウ酸（ｐＫａ＝１．０４，３．８２）、マレイン酸（ｐＫａ＝１．７５，５．８３）、アスパラギン酸（ｐＫａ＝１．９３，３．７０）、サリチル酸（ｐＫａ＝２．８１）、酒石酸（ｐＫａ＝２．８２，３．９６）、フマル酸（ｐＫａ＝２．８５，４．１０）、クエン酸（ｐＫａ＝２．９０，４．３４）、リンゴ酸（ｐＫａ＝３．２４，４．７１）、コハク酸（ｐＫａ＝４．００，５．２４）、蟻酸（ｐＫａ＝３．５５）、乳酸（ｐＫａ＝３．６６）、グルタル酸（ｐＫａ＝４．１３，５．０１）、アジピン酸（ｐＫａ＝４．２６，５．０３）、酢酸（ｐＫａ＝４．５６）、プロピオン酸（ｐＫａ＝４．６７）等を例示することができるが、ｐＨ調整が容易な点から、第１解離指数（ｐＫａ１）が２．９〜５．０、特に３．５〜５．０の範囲にある有機酸が好ましい。なかでも、（ｂ）成分の重合反応の制御が容易であるグルタル酸、アジピン酸、酢酸及びプロピオン酸が好ましく、特に、臭気が少ないアジピン酸が好ましい。
【００２６】
本発明の柔軟剤組成物中の有機酸の含有量は、重合反応の抑制の点から、０．００１〜５質量％、特に０．００１〜１質量％が好ましい。
【００２７】
本発明の柔軟剤組成物には、（ｂ）成分の効果を向上させる目的で、（ｄ）成分として、４０℃で液状のパラフィン（（ｄ１）成分）、及び炭素数１２〜３０の４０℃で液状のアルコール（（ｄ２）成分）、及びオルガノシロキサン（（ｄ３）成分）から選ばれる１種以上の化合物を含有することができる。
【００２８】
（ｄ１）成分の４０℃で液状のパラフィンとしては、ｎ−パラフィン、イソパラフィン、流動パラフィンを用いることができる。また、本発明で用いるパラフィンはＪＩＳ−Ｋ２２８３に記載の測定法で求めた３７．８℃の粘度が、好ましくは５０〜６００ＳＳＵ、より好ましくは５０〜４００ＳＳＵ、特に好ましくは１５０〜３５０ＳＳＵである。
【００２９】
具体的にはカネダ株式会社製ハイコールＫ−１６０、Ｋ−１０５、Ｋ−３０５、Ｋ−２８５、Ｋ−３００、Ｋ−３５０の商品名で販売されている流動パラフィン、Crompton Corporationから入手可能なベノール、ブライトール、グロリア、ケイドール、クレアロール、ルドール、松村石油研究所（株）から入手可能なスモイルＰ−５５、Ｐ−１００、Ｐ−１５０、Ｐ−２００、Ｐ−２６０、Ｐ−３００、Ｐ−３５０、モレスコホワイトＰ−５００、Ｐ−５５、Ｐ−６０、Ｐ−７０、Ｐ−８０、Ｐ−８５、Ｐ−１００、Ｐ−１２０、Ｐ−１５０、Ｐ−２００、Ｐ−２３０、Ｐ−２６０、Ｐ−３００、Ｐ−３５０Ｐ、エッソ石油有限会社から入手可能なクリストール５２、クリストールＪ−７２、クリストール７２、クリストール１７２、クリストールＪ−２６２、クリストールＪ−３５２、クリストール５４２、モービル石油株式会社から購入可能なホワイトレックス３０７，３０９，３２６，３３５、中央化成株式会社製流動パラフィン４０−Ｓ、５５−Ｓ、６０−Ｓ、７０−Ｓ、８０−Ｓ、９０−Ｓ、１００−Ｓ、１２０−Ｓ、１５０−Ｓ、２６０−Ｓ、３５０−Ｓ、出光興産株式会社製ダフニーオイル１５Ｎ、３２Ｎ、３８Ｎ、６８Ｎを用いることができる。
【００３０】
（ｄ２）成分として、特に炭素数１６〜２８の分岐アルキル基又は不飽和結合を１〜３個有するアルケニル基を有する１級アルコールが好ましい。具体的に好ましい化合物としてはイソステアリルアルコール、オレイルアルコール、炭素数１５〜２７の１−オレフィンを一酸化炭素及び水素でヒドロホルミル化して得られるオキソアルコール、テトライソブチレンあるいはペンタイソブチレンを一酸化炭素及び水素でヒドロホルミル化して得られる多メチル分岐型１級アルコール、及び炭素数１６〜２８のゲルべアルコールから選ばれる１種以上が好ましい。ゲルベアルコールは、炭素数８〜１６のアルキル基を有するアルデヒドとアルカリによって２位にアルキル基が分岐した総炭素数１６〜２８の１級アルコールを得ることができる。また、Ｎｉ触媒などを用いてアルコールの脱水素反応及び水素化反応を併発させてゲルベ反応を行わせることも可能である。
【００３１】
（ｄ３）成分として、２５℃における粘度が１００〜１万ｍｍ２／ｓのジメチルポリシロキサンが好ましい。特に好ましい粘度は１００〜３０００ｍｍ２／ｓである。
【００３２】
（ｄ）成分は、（ｂ）成分と（ｄ）成分との配合割合が、（ｂ）成分／（ｄ）成分＝９７／３〜３／９７（質量比）、好ましくは９５／５〜５／９５（質量比）、さらに好ましくは９０／１０〜１０／９０（質量比）となる比率で含有することが好ましい。
【００３３】
本発明の柔軟剤組成物には、柔軟効果をさらに向上させる目的、及び貯蔵安定性の点から、（ｅ）成分として炭素数１２〜２４の脂肪酸（以下（ｅ１）成分という）及び非イオン界面活性剤（以下（ｅ２）成分という）から選ばれる化合物を含有することが好ましい。
【００３４】
（ｅ１）成分としては、ラウリン酸、ミリスチン酸、パルミチン酸、パルミトレイン酸、ステアリン酸、オレイン酸、リノール酸、エルカ酸、ベヘニン酸が好ましく、特にパルミチン酸、ステアリン酸、オレイン酸、リノール酸が好適である。
【００３５】
（ｅ２）成分としては、炭素数８〜２０のアルキル基又はアルケニル基を有するポリオキシエチレンアルキルエーテルが好ましく、特に下記一般式（８）で表される非イオン界面活性剤が良好である。
【００３６】
Ｒ８ａ−Ｆ−[(Ｒ８ｂＯ)ｅ−Ｒ８ｃ]ｇ      （８）
〔式中、Ｒ８ａは、炭素数８〜１８、好ましくは炭素数１０〜１６のアルキル基、又はアルケニル基であり、Ｒ８ｂは、炭素数２又は３のアルキレン基、好ましくはエチレン基であり、Ｒ８ｃは、炭素数１〜３のアルキル基、又は水素原子であり、ｅは２〜１００、好ましくは５〜８０、より好ましくは５〜６０、特に好ましくは１０〜４０の数であり、Ｆは−Ｏ−、−ＣＯＯ−，−ＣＯＮ＜又は−Ｎ＜であり、Ｆが−Ｏ−又は−ＣＯＯ−の場合ｇは１であり、Ｆが−ＣＯＮ＜又は−Ｎ＜の場合ｇは２である。〕
一般式（８）で表される化合物の具体例としては、以下の式（８−１）〜（８−３）で表される化合物を挙げることができる。
【００３７】
Ｒ８ａ−Ｏ−(Ｃ２Ｈ４Ｏ)ｈ−Ｈ      （８−１）
〔式中、Ｒ８ａは前記の意味を示す。ｈは８〜１００、好ましくは１０〜６０の数である。〕
Ｒ８ａ−Ｏ−(Ｃ２Ｈ４Ｏ)ｉ−(Ｃ３Ｈ６Ｏ)ｊ−Ｈ      （８−２）
〔式中、Ｒ８ａは前記の意味を示す。ｉ及びｊはそれぞれ独立に２〜４０、好ましくは５〜４０の数であり、（Ｃ２Ｈ４Ｏ）と（Ｃ３Ｈ６Ｏ）はランダム又はブロック付加体であってもよい。〕
【化２】
0004647483.tif 000003
【００３８】
〔式中、Ｒ８ａは前記の意味を示す。ｍ１，ｎ１，ｍ２及びｎ２はそれぞれ独立に０〜４０の数であり、ｍ１＋ｎ１＋ｍ２＋ｎ２は５〜６０、好ましくは５〜４０の数である。（Ｃ２Ｈ４Ｏ）と（Ｃ３Ｈ６Ｏ）はランダム又はブロック付加体であってもよい。Ｒ８ｄ、Ｒ８ｅはそれぞれ独立に水素原子又は炭素数１〜３のアルキル基である。〕
本発明の組成物は、必要に応じて（ｆ）成分として無機塩を含有することができる。無機塩としては、塩化ナトリウム、塩化カルシウム、及び塩化マグネシウムが貯蔵安定性の点から好ましい。
【００３９】
本発明の組成物は（ａ）成分と併用することで、更に柔軟性を向上させる効果を付与する目的で（ｇ）成分として炭素数８〜２２の飽和又は不飽和脂肪酸と多価アルコールとのエステル化合物を含有してもよいが、良好な貯蔵安定性を得るためには、種類や含有量などに留意することが望ましい。配合できる（ｇ）成分としては、トリグリセライド、ジグリセライド、モノグリセライド、ペンタエリスリトールのモノ、ジ、トリエステル、ソルビタンエステルを挙げることができる。脂肪酸と多価アルコール中の水酸基との反応モル比は１／３〜１／１が好ましく、より好ましくは１／２〜１／１、特に好ましくは１／２〜０．９／１である。
【００４０】
本発明の組成物は、必要に応じて（ｈ）成分として有機溶剤を含有してもよい。具体的には、エタノール、イソプロパノール、グリセリン、エチレングリコール、プロピレングリコールから選ばれる有機溶剤が挙げられ、特にエタノールが匂いの点から好ましい。
【００４１】
本発明の組成物は、通常の柔軟剤組成物に使用される香料（（ｉ）成分、特に好ましくは、特開平８−１１３８７１号公報記載の成分（ｃ）及び（ｄ）にて示された香気成分の組み合わせ）を含有してもよい。
【００４２】
本発明の組成物は、分子内に発色団としてアゾ基、フタロシアニン基、トリフェニルメタン基、キサンタン基、アントラキノン基を有し、かつ水溶性、水分散性を高める官能基として、スルホン酸基、アミノ基、カルボキシル基、ポリオキシアルキレン基を有する染料（（ｊ）成分）を含有していてもよい。
【００４３】
本発明の組成物は匂い安定性、色相安定性を向上する目的でキレート剤（（ｋ）成分）を配合することが出来る。（ｋ）成分としてはアミノポリカルボン酸、ホスホン酸、及びこれらの塩から選ばれる化合物が挙げられる。
【００４４】
アミノポリカルボン酸としては分子中に−Ｎ(ＣＨ２ＣＯＯＭ)２で示されるイミノジ酢酸基が少なくとも１つ以上、好ましくは１又は２つ有する分子量１８０〜１０００、好ましくは２５０〜６００の化合物が好適である。より具体的にはニトリロ３酢酸、エチレンジアミン４酢酸、ジエチレントリアミン５酢酸、アスパラギンサン酸２酢酸、グルタミン酸２酢酸、グリコールエーテルジアミン４酢酸、ヒドロキシエチルイミノ２酢酸、トリエチレンテトラミン６酢酸、ジエンコル酸を挙げることができ、特にエチレンジアミン４酢酸、ジエチレントリアミン５酢酸、アスパラギンサン酸２酢酸、グルタミン酸２酢酸が好適である。
【００４５】
ホスホン酸としてはエタン−１，１−ジホスホン酸、エタン−１，１，２−トリホスホン酸、エタン−１−ヒドロキシ−１，１−ジホスホン酸およびその誘導体、エタンヒドロキシ−１，１，２−トリホスホン酸、エタン−１，２−ジカルボキシ−１，２−ジホスホン酸、メタンヒドロキシホスホン酸、エチレンジアミンテトラ（メチレンホスホン酸）、ジエチレントリアミンペンタ（メチレンホスホン酸）、トリメチレンホスホノアミン等を挙げることができ、特にエタン−１，１−ジホスホン酸、エチレンジアミンテトラ（メチレンホスホン酸）が好適である。
【００４６】
塩としてはナトリウム塩、カリウム塩、マグネシウム塩、及びアルカノールアミン塩、鉄塩、ニッケル塩、クロム塩、亜鉛塩が好ましく、特にナトリウム塩、カリウム塩、鉄塩が好適である。
【００４７】
本発明では（ｋ）成分としてエチレンジアミン４酢酸及びそのナトリウム塩、カリウム塩、鉄塩が最も好ましい。
【００４８】
また、本発明の効果に影響を与えない量の消泡シリコーン、酸化防止剤、防腐剤を含有することもできる。
【００４９】
本発明の柔軟剤組成物は、２０℃のｐＨが２．０〜７．５が好ましく、２．０〜５．０がより好ましい。
【００５０】
本発明の柔軟剤組成物の調製法は特に限定されないが、３０〜８０℃に調温した水に、必要に応じて（ｅ２）成分、（ｈ）成分、（ｋ）成分を加え、溶融した（ａ）成分を添加する。（ｅ１）成分、（ｇ）成分を使用する場合には（ａ）成分と混合して配合することが好ましい。次に（ｆ）成分、（ｉ）成分、（ｊ）成分を添加し、２０〜３５℃に冷却後に、（ｂ）成分、（ｃ）成分を配合することが好ましい。（ｄ）成分を配合する場合には、単独で配合しても良いが（ｂ）成分と予め混合して配合することが好ましい。
【実施例】
【００５１】
以下の実施例では、下記記載の（ａ）〜（ｋ）成分を使用した。
・（ａ）成分
【化３】
0004647483.tif 000004
【００５２】
【化４】
0004647483.tif 000005
【００５３】
（ａ−３）：Ｎ−ステアロイルアミドプロピル−Ｎ，Ｎ−ジメチルアミン塩酸塩
・（ｂ）成分
（ｂ−１）：メチルトリエトキシシラン／ジメチルジエトキシシラン＝７０／３０（質量比）の混合物
（ｂ−２）：メチルシラントリオール／ジメチルシランジオール＝５０／５０（質量比）の混合物
・（ｂ’）成分（（ｂ）成分の比較品）
（ｂ’−１）：メチルトリラウロキシシラン
・その他の成分
（ｃ−１）：アジピン酸
（ｄ−１）：ルドール（Crompton Corporation製）
（ｄ−２）：炭素数２４のゲルベアルコール
（ｄ−３）：粘度３５０ｍｍ２／ｓのジメチルポリシロキサン
（ｅ−１）：ポリオキシエチレン（１９）ラウリルエーテル
（ｅ−２）：ステアリン酸
（ｆ−１）：塩化カルシウム
（ｆ−２）：塩化マグネシウム
（ｇ−１）：硬化牛脂脂肪酸モノグリセライド
（ｈ−１）：エタノール
（ｈ−２）：エチレングリコール
（ｉ−１）：特開平８−１１３８７１号公報、実施例記載の（ｃ−１）成分／（ｄ−１）成分＝１／１（質量比）の香料組成物
（ｊ−１）：食用青色１号
（ｋ−１）：エチレンジアミン４酢酸４ナトリウム塩
実施例１
（１）柔軟剤組成物の製造
最終の柔軟剤組成物が３００ｇになるように、表１に示す各成分を使用し柔軟剤組成物を製造した。一枚の長さが２．５ｃｍのタービン型羽根が３枚ついた攪拌羽根をビーカー底面より１ｃｍ上部に設置した、５００ｍＬのガラスビーカーに必要量の９０質量％イオン交換水を入れ、ウォーターバスで６２℃まで昇温した。５００ｒｐｍで攪拌しながら、融解した（ｅ−１）を添加した、次に（ｈ）成分と（ｋ）成分を添加した。次に（ａ）成分、及び（ｅ−２）、（ｇ−１）を予め予備混合し７０℃で溶融させた予備混合物を添加した。次に、（ｆ）成分、（ｉ）成分、（ｊ）成分を添加し、１０分攪拌後。５℃のウォーターバスで３０℃まで冷却し、（ｂ）成分若しくは（ｂ）成分と（ｄ）成分の混合物を添加し、次に（ｃ）成分を添加した。次に所定のｐＨにするのに必要な量の３５％塩酸水溶液、及び／又は４８％水酸化ナトリウム水溶液を添加し、その後、１０分間撹拌した。柔軟性、風合い評価用の比較組成物として（ｂ）又は（ｂ’）成分を含まない組成物１’〜１３’も調製した。
【００５４】
（２）柔軟剤組成物による処理
市販の木綿タオル（綿１００％）１．５ｋｇ、綿肌着（綿１００％）０．５ｋｇを全自動洗濯機（ナショナルＮＡ−Ｆ６０Ｅ）に入れ、市販の弱アルカリ性洗剤（商品名アタック，花王（株）製）を用いて５回洗濯した（標準コース，洗剤濃度０．０６６７質量％，水道水４０Ｌ使用，水温２０℃）。各回の洗濯後に２５℃、４０％ＲＨで自然乾燥した。次に、再び全自動洗濯機で洗濯した（標準コース，洗剤濃度０．０６６７質量％，柔軟剤組成物量１０ｇ，水道水４０Ｌ使用，水温２０℃）。洗濯中の２回目の濯ぎ時に表１の柔軟剤組成物を洗濯槽内に投入し柔軟処理をした。脱水後、タオルを２５℃、４０％ＲＨ条件下で自然乾燥した。この処理を１０回くり返し累積処理を行った。また、比較として、比較組成物１’〜１３’で同様に柔軟処理した木綿タオル、及び綿肌着を用意した。
【００５５】
（３）柔軟性の評価
上記の処理をした木綿タオルの柔軟性を１０人のパネラー（２０〜３０歳代女性）により下記の基準で判定し、平均点を求めた。平均点が１．５以上２．０以下をＡ、１．０以上、１．５未満をＢ、０．６以上１．０未満をＣ、０．３以上０．６未満をＤ、０以上０．３未満をＥとした。結果を表１に示す。
【００５６】
比較木綿タオルより、非常に柔らかく仕上がった：２
比較木綿タオルより、やや柔らかく仕上がった：１
比較木綿タオルと同じ柔らかさであった：０
（４）吸水性の評価
上記の処理をした綿肌着を用いて１０人のパネラー（２０〜３０歳代女性）に、洗顔後の顔を拭いてもらい、水の拭き取りやすさを下記の基準で判定し、平均点が１．５以上２．０以下をＡ、１．０以上、１．５未満をＢ、０．６以上１．０未満をＣ、０．３以上０．６未満をＤ、０以上０．３未満をＥとした。結果を表１に示す。
【００５７】
比較木綿タオルより、非常に拭き取りやすかった：２
比較木綿タオルより、やや拭き取りやすかった：１
比較木綿タオルと同じ拭き取り易さだった：０
【表１】
0004647483.tif 000006
【００５８】
*1；（ｃ）成分からのキャリーオーバー含めた配合量
*2；ｐＨ調整は０．１Ｎ塩酸水溶液及び０．１Ｎ水酸化ナトリウム水溶液で行った。